(57)【要約】【課題】本発明は、クライアントを利用するユーザ個々を対象とした、きめの細かなウェブアドレス情報の提供が行える情報処理システム、サーバおよびウェブアドレス発給方法を提供することを課題とする。【解決手段】ビーコンサーバ１０は、クライアントシステム１３からユーザ情報を受信すると、ユーザデータベース１２を参照して、上記ユーザ情報に対応付けされた、ユーザに最適なウェブページを示すウェブアドレス情報を取得し、そのＵＲＬビーコンをクライアントシステム１３に送信する。【選択図】    図１
2004178411.tif 000002
【特許請求の範囲】
【請求項１】
サーバとクライアントとの間で無線により情報交換を行う情報処理システムに於いて、
前記クライアントはユーザ情報を前記サーバに送信する手段を具備し、前記サーバは前記ユーザ情報をもとに前記クライアントに提供するウェブアドレス情報を決定する手段を具備することを特徴とする情報処理システム。
【請求項２】
前記サーバは、前記クライアントのユーザ情報と前記クライアントに提供するウェブアドレス情報とを関連付けて記憶するデータベースを具備し、前記クライアントよりユーザ情報を受信する都度、前記データベースを参照して、前記受信したユーザ情報に対応付けられたウェブアドレス情報を取得し前記クライアントに送信する請求項１記載の情報処理システム。
【請求項３】
前記クライアントは、前記サーバとの間にローカルエリアネットワークを形成し、前記ローカルエリアネットワークを介して、前記サーバに前記ユーザ情報を送信し、前記サーバより前記ウェブアドレス情報を取得する手段を具備する請求項１記載の情報処理システム。
【請求項４】
前記クライアントは、インターネットを介してウェブページにアクセスするウェブブラウザを有し、前記サーバより受信したウェブアドレス情報を用いてウェブページにアクセスすることを特徴とする請求項１記載の情報処理システム。
【請求項５】
前記データベースは、前記クライアントを利用するユーザ各々を識別するユーザ情報と、前記ユーザ別に設けたウェブアドレス情報とを対応付けて記憶する、若しくは前記クライアントを識別するユーザ情報と、前記クライアント別に設けたウェブアドレス情報とを対応付けて記憶する、若しくは前記クライアントを利用するユーザをクラス分けしたユーザ情報と、前記クラス別に設けたウェブアドレス情報とを対応付けて記憶する請求項２記載の情報処理システム。
【請求項６】
前記サーバは、前記クライアントとの間で形成した前記ローカルエリアネットワーク上で、前記クライアントより取得したユーザ情報に従いＵＲＬアドレスを動的に変化させたビーコンを送信する請求項３記載の情報処理システム。
【請求項７】
クライアントとの間で無線通信を行うサーバであって、
前記クライアントのユーザ情報と前記クライアントに提供するウェブアドレス情報とを関連付けて記憶するデータベースを具備したことを特徴とするサーバ。
【請求項８】
前記クライアントよりユーザ情報を受信する都度、前記データベースを参照して、前記受信したユーザ情報に対応付けられたウェブアドレス情報を取得し前記クライアントに送信する手段を更に具備した請求項７記載のサーバ。
【請求項９】
無線により情報交換を行うサーバおよびクライアントを備えたシステムのウェブアドレス発給方法であって、
前記クライアントは当該クライアントを利用するユーザ情報を前記サーバに送信し、前記サーバは前記クライアントより受信した前記ユーザ情報をもとに前記クライアントに提供するウェブアドレス情報を決定し、当該ウェブアドレス情報を前記クライアントに発給することを特徴とするウェブアドレス発給方法。
【請求項１０】
無線により情報交換を行うサーバおよびクライアントを備えたシステムのウェブアドレス発給方法であって、
前記サーバはユーザ情報とウェブアドレス情報を関連付けて記憶するデータベースを有し、
前記クライアントはサーバとの間にローカルエリアネットワークを形成して前記サーバにユーザ情報を送信し、
前記サーバは前記クライアントより受信したユーザ情報に関連付けられたウェブアドレス情報を前記データベースから読み出して前記クライアントへ送信することを特徴とするウェブアドレス発給方法。
【請求項１１】
前記サーバは、前記クライアントとの間で形成した前記ローカルエリアネットワーク上で、前記クライアントより取得したユーザ情報に従いＵＲＬアドレスを動的に変化させたビーコンを送信する請求項１０記載のウェブアドレス発給方法。
【発明の詳細な説明】
【０００１】
【発明の属する技術分野】
本発明は、無線により情報交換を行うサーバおよびクライアントを備えた情報処理システム、同システムに適用されるサーバ、および同システムに適用されるウェブアドレス発給方法に関する。
【０００２】
【従来の技術】
無線により情報交換を行うサーバおよびクライアントを備えた情報処理システムに於いて、或サーバからクライアントにウェブアドレス情報を提供する際、上記クライアントからの要求に対して上記サーバは常に同一のウェブアドレス情報を提供していた（例えば、特許文献１参照）。
【０００３】
従って、従来では、上記クライアントを利用する複数のユーザを対象とした、きめの細かなウェブアドレス情報の提供が行えないという問題がある。
【０００４】
【特許文献１】
特開特開２００２−１１６９６８号公報
【０００５】
【発明が解決しようとする課題】
上述したように従来では、クライアントを利用する複数のユーザを対象とした、きめの細かなウェブアドレス情報の提供が行えないという問題があった。
【０００６】
本発明は上記実情に鑑みなされたもので、クライアントを利用するユーザ個々を対象とした、きめの細かなウェブアドレス情報の提供が行える情報処理システム、サーバおよびウェブアドレス発給方法を提供することを目的とする。
【０００７】
【課題を解決するための手段】
本発明は、サーバからクライアントにＵＲＬアドレスをビーコン送信する際に、クライアントより受信したユーザ情報の内容によってビーコン送信するＵＲＬアドレスを動的に変化させることにより、クライアントを利用するユーザ毎に最適なウェブページ情報へのポインタを与えることを特徴とする。
【０００８】
即ち、本発明は、サーバとクライアントとの間で無線通信を行う情報処理システムに於いて、前記クライアントはユーザ情報を前記サーバに送信する手段を具備し、前記サーバは前記ユーザ情報をもとに前記クライアントに提供するウェブアドレス情報を決定する手段を具備することを特徴とする。
【０００９】
また本発明は前記情報処理システムに於いて、前記サーバは、前記クライアントのユーザ情報と前記クライアントに提供するウェブアドレス情報とを関連付けて記憶するデータベースを具備し、前記クライアントよりユーザ情報を受信する都度、前記データベースを参照して、前記受信したユーザ情報に対応付けられたウェブアドレス情報を取得し、前記クライアントに送信することを特徴とする。
【００１０】
また本発明は前記情報処理システムに於いて、前記クライアントは前記サーバとの間にローカルエリアネットワークを形成し、前記ローカルエリアネットワークを介して前記サーバに前記ユーザ情報を送信する手段を具備することを特徴とする。
【００１１】
また本発明は前記情報処理システムに於いて、前記クライアントは、インターネットを介してウェブページにアクセスするウェブブラウザを有し、前記サーバより受信したウェブアドレス情報を用いてウェブページにアクセスすることを特徴とする。
【００１２】
また本発明は前記情報処理システムに於いて、前記サーバは、ＵＲＬアドレスをビーコン送信する手段を有し、前記ローカルエリアネットワークに接続するクライアントのユーザ情報によってビーコン送信するＵＲＬアドレスを動的に変化させることを特徴とする。
【００１３】
また本発明は、クライアントとの間で無線通信を行うサーバであって、前記クライアントのユーザ情報と前記クライアントに提供するウェブアドレス情報とを関連付けて記憶するデータベースを具備したことを特徴とする。
【００１４】
また本発明は前記サーバに於いて、前記クライアントよりユーザ情報を受信する都度、前記データベースを参照して、前記受信したユーザ情報に対応付けられたウェブアドレス情報を取得し前記クライアントに送信する手段を更に具備したことを特徴とする。
【００１５】
また本発明は、無線により情報交換を行うサーバおよびクライアントを備えたシステムのウェブアドレス発給方法であって、前記クライアントは当該クライアントを利用するユーザ情報を前記サーバに送信し、前記サーバは前記クライアントより受信した前記ユーザ情報をもとに前記クライアントに提供するウェブアドレス情報を決定し、当該ウェブアドレス情報を前記クライアントに発給することを特徴とする。
【００１６】
また本発明は、無線により情報交換を行うサーバおよびクライアントを備えたシステムのウェブアドレス発給方法であって、前記サーバはユーザ情報とウェブアドレス情報を関連付けて記憶するデータベースを有し、前記クライアントはサーバとの間にローカルエリアネットワークを形成して前記サーバにユーザ情報を送信し、前記サーバは前記クライアントより受信したユーザ情報に関連付けられたウェブアドレス情報を前記データベースから読み出して前記クライアントへ送信することを特徴とする。
【００１７】
また本発明は前記ウェブアドレス発給方法に於いて、前記サーバは、ＵＲＬアドレスをビーコン送信する手段を有し、前記ローカルエリアネットワークに接続するクライアントのユーザ情報によってビーコン送信するＵＲＬアドレスを動的に変化させることを特徴とする。
【００１８】
このような本発明の機能を持つことにより、クライアントを利用する複数のユーザを対象とした、きめの細かなウェブアドレス情報を提供することができ、ユーザ毎に最適なウェブページへのＵＲＬを与えることができる。例えば、一般の不特定多数のユーザと特定のユーザ（例えば株主、販売店の会員、系列会社社員あるいは得意客等）とでアクセス先ＵＲＬを変更したり、ユーザのビーコン受信回数によって別のＵＲＬを提示する、といったことが可能になる。
【００１９】
【発明の実施の形態】
以下、図面を参照して本発明の実施形態を説明する。
【００２０】
図１は本発明の実施形態に於ける情報処理システムの構成を示すブロック図である。
【００２１】
図１に示す情報処理システムは、ＵＲＬビーコンを送信するビーコンサーバ１０と、ビーコンサーバ１０より送信されたＵＲＬビーコンを受信するクライアントシステム１３と、ウェブページの情報を保持するコンテンツサーバ１６とを有して構成される。
【００２２】
ビーコンサーバ１０は、無線通信部１１と、ユーザデータベース１２とを有する。また、クライアントシステム１３は、無線通信部１４と、ウェブブラウザ１５とを有する。また、コンテンツサーバ１６は、複数のウェブページ情報１７を保持する。
【００２３】
ビーコンサーバ１０と、クライアントシステム１３とは、それぞれが持つ無線通信部（１１，１４）を使ってローカルエリアネットワーク（無線ＬＡＮ）を形成し、データ送受信を行う。
【００２４】
また、クライアントシステム１３は、ウェブブラウザ１５を使って、インターネット１８に接続し、コンテンツサーバ１６とデータ送受信を行う。この際、ビーコンサーバ１０とクライアントシステム１３とが持つ無線通信部（１１，１４）の物理リンクや通信プロトコルは任意であって本発明では特に限定しない。例えばＢｌｕｅｔｏｏｔｈのような小電力無線通信規格やＩｒＤＡなどの赤外線通信規格が利用可能である。同様に、ウェブブラウザ１５がインターネット１８にアクセスする際の物理リンクも任意であって本発明では特に限定しない。例えば、一般公衆回線を用いたダイアルアップ接続や無線ＬＡＮ経由でのインターネットアクセスが利用可能である。
【００２５】
図２は上記実施形態に於ける処理の手順を示すフローチャートであり、図３は同実施形態に於ける通信の手順を示す図である。
【００２６】
ここで上記各図を参照して本発明の実施形態における動作を説明する。
【００２７】
ビーコンサーバ１０に設けられたユーザデータベース１２には、クライアントシステム１３を利用する複数のユーザを対象に、各ユーザをクラス分けしたユーザ情報と、上記クラス別に設けたウェブアドレス情報とが上記各ユーザのクラスに応じ対応付けて記憶される。この際、上記ユーザ情報は、例えば、ユーザの年齢、性別等の情報、ユーザの年齢、性別等をクラス分けした情報、クライアントシステム１３の無線通信部１４が持つユニークなＩＤ情報、顧客に割り当てた会員番号等のユーザに固有の情報、ユーザを特定の目的でクラス分けした情報、顧客をクラス分けした情報、ユーザの電子名刺（Ｖ−Ｃａｒｄ）情報等のいずれであってもよい。ここでは図に示すように、クライアントシステム１３を利用するユーザを識別するためのユーザＩＤとウェブページアクセス先のＵＲＬとが対応付けられて記憶されるものとする。
【００２８】
クライアントシステム１３の無線通信部１１は、ビーコンサーバ１０の通信可能エリア内に於いて、クライアントシステム１３の無線通信部１４との接続を確立し、ビーコンサーバ１０に接続する（図２ステップ２０１）。
【００２９】
クライアントシステム１３は、ビーコンサーバ１０との接続が確立されると、ビーコンサーバ１０に上記したようなユーザ情報を送信する（図２ステップ２０２）。
【００３０】
ビーコンサーバ１０は、クライアントシステム１３からユーザ情報を受信すると、上記ユーザデータベース１２を参照して、上記ユーザ情報に対応付けされた、ユーザに最適なウェブページを示すウェブアドレス情報を取得し、そのＵＲＬビーコンをクライアントシステム１３に送信する（図２ステップ２０３，２０４）。
【００３１】
クライアントシステム１３は、ビーコンサーバ１０からＵＲＬビーコンを受信すると、そのＵＲＬビーコンをウェブブラウザ１５へ渡す。ウェブブラウザ１５はインターネット１８を介してコンテンツサーバ１６のウェブページ情報１７にアクセスする（図２ステップ２０５）。
【００３２】
上記したように、ビーコンサーバ１０がクライアントシステム１３より受信したユーザ情報をもとにユーザデータベース１２を参照してウェブアドレス情報取得し、そのＵＲＬビーコンをクライアントに送信して、ウェブページへのアクセスを行うＵＲＬを提示することにより、ユーザは常に最適なウェブページへアクセスすることができる。
【００３３】
【発明の効果】
以上詳記したように本発明によれば、クライアントを利用するユーザ個々を対象とした、きめの細かなウェブアドレス情報の提供が行える。これによりユーザは常に最適なウェブページへアクセスすることができる。
【図面の簡単な説明】
【図１】本発明の実施形態に於ける情報処理システムの構成を示すブロック図。
【図２】上記実施形態に於ける処理の手順を示すフローチャート。
【図３】上記実施形態に於ける通信の手順を示す図。
【符号の説明】
１０…ビーコンサーバ
１１…無線通信部
１２…ユーザデータベース
１３…クライアントシステム
１４…無線通信部
１５…ウェブブラウザ
１６…コンテンツサーバ
１７…ウェブページ情報
１８…インターネット
【図１】
2004178411.tif 000003
【図２】
2004178411.tif 000004
【図３】
2004178411.tif 000005